(57)【要約】【課題】  圃場の乾燥状態に影響されずに締まりの良い新畦を成形にする。【解決手段】  畦塗り機１は、走行機体に装着される装着部に取り付けられた支持フレーム２０と、この先端部に取り付けられた作業部３０とを有する。作業部３０は、旧畦及び圃場を切り崩す前処理部３１とこれにより盛られた土を旧畦上に塗り付ける整畦部５１とを備える。前処理部３１は、傾斜する回転駆動軸３３に放射状に取り付けられた複数の耕耘爪３５を備える。耕耘爪３５は畦上面を切り崩す第１耕耘爪３６と、畦内側面を切り崩す第２耕耘爪３７と、畦に隣接する圃場上部を耕耘する第３耕耘爪３８とを有する。整畦部５１は、上下に延びる駆動軸５２ａと、畦上面を整畦可能な第１周面５５を有する上回転体部５４と、畦の内側面を整畦可能な第２周面５８を有する下回転体部５７とを備える。第１周面５５は径方向外側に延びる方向が整畦部５７の回転角度に応じて変化する。【選択図】  図２
2005269977.tif 000002
【特許請求の範囲】
【請求項１】
走行機体の後部に装着され、旧畦を切り崩して土盛りを行なう前処理部と該前処理部により盛られた土を切り崩された旧畦上に塗り付ける整畦部とを備え、前記走行機体から伝達される動力によって前記前処理部及び前記整畦部を駆動して畦塗り作業を行なう畦塗り機において、
前記整畦部は、回転中心軸心が上下方向に延びて回転動可能に支持され、旧畦上面を整畦可能な第１周面を有する上回転体部と、該上回転体部の下方に配設されて前記旧畦の一方側面を整畦可能な第２周面を有する下回転体部とを備え、
前記上回転体部の前記第１周面は、前記回転中心軸心に対して径方向外側に延びる方向が前記整畦部の回転角度に応じて変化してなることを特徴とする畦塗り機。
【請求項２】
走行機体の後部に装着され、旧畦を切り崩して土盛りを行なう前処理部と該前処理部により盛られた土を切り崩された旧畦上に塗り付ける整畦部とを備え、前記走行機体から伝達される動力によって前記前処理部及び前記整畦部を駆動して畦塗り作業を行なう畦塗り機において、
前記整畦部の前記回転中心軸心は、前記整畦部の駆動軸心に対して偏心していることを特徴とする畦塗り機。
【請求項３】
走行機体の後部に装着され、旧畦を切り崩して土盛りを行なう前処理部と該前処理部により盛られた土を切り崩された旧畦上に塗り付ける整畦部とを備え、前記走行機体から伝達される動力によって前記前処理部及び前記整畦部を駆動して畦塗り作業を行なう畦塗り機において、
前記整畦部は、回転中心軸心が上下方向に延びて回転動可能に支持され、旧畦上面を整畦可能な第１周面を有する上回転体部と、該上回転体部の下方に配設されて前記旧畦の一方側面を整畦可能な第２周面を有する下回転体部とを備え、
前記上回転体部の前記第１周面は、前記回転中心軸心に対して径方向外側に延びる方向が前記整畦部の回転角度に応じて変化してなり、
前記整畦部の前記回転中心軸心は、前記整畦部の駆動軸心に対して偏心していることを特徴とする畦塗り機。
【請求項４】
前記整畦部の回転動にともなう前記第１周面による前記旧畦上面の押圧動作と前記第２周面による前記旧畦の一方側面の押圧動作は同期して行なわれることを特徴とする請求項３に記載の畦塗り機。
【請求項５】
前記第１周面は、前記回転中心軸心を中央にして相対向する側に形成された第１周面のそれぞれの部分の延びる方向の角度差が最大になるように形成されていることを特徴とする請求項１又は３に記載の畦塗り機。
【請求項６】
前記下回転体部の前記第２周面は、複数の面を周方向に配設してなる多面体形状であることを特徴とする請求項２又は３に記載の畦塗り機。
【請求項７】
前記複数の面は、隣接する面間に段部が形成されていることを特徴とする請求項６に記載の畦塗り機。
【請求項８】
前記前処理部は、傾斜して上下方向に延びて回転動可能に支持された回転駆動軸と、該回転駆動軸に放射状に取り付けられた複数の耕耘爪とを備え、
前記複数の耕耘爪は、前記回転駆動軸の上部に取り付けられて前記旧畦の上面を切り崩す第１耕耘爪と、前記回転駆動軸の中間部に取り付けられて前記旧畦の一方側面を切り崩す第２耕耘爪と、前記回転駆動軸の下部に取り付けられて前記旧畦に隣接する圃場の上部を耕耘する第３耕耘爪とを有してなることを特徴とする請求項１から３のいずれかに記載の畦塗り機。
【発明の詳細な説明】
【技術分野】
【０００１】
本発明は、畦塗り機に関し、特に、旧畦を切り崩して土盛りを行なう前処理部と、これにより盛られた土を旧畦上に塗り付ける整畦部とを備える畦塗り機に関する。
【背景技術】
【０００２】
畦塗り機は、トラクタ等の走行機体の後部に装着され、走行機体の走行にともなって進行しながら走行機体から伝達される動力によって駆動されて畦塗り作業を行なう。このような畦塗り機には、旧畦の延びる方向に回転動可能に支持された回転駆動軸に放射状に複数の耕耘爪を備えた前処理部と、前処理部よりも畦塗り機の進行方向後側に配設されて回転中心軸が畦側に傾斜して上下方向に延びて回転動可能に支持された整畦部とを備えてなるものがある（特許文献１参照）。
【０００３】
この前処理部は、畦際の圃場面及び旧畦から削り出した土を跳ね上げて旧畦に盛り上げる。一方、整畦部は、旧畦上面及び旧畦の内側面に対向する連続した線分を母線とし、旧畦側に傾斜した上下方向に延びる回転中心軸を有して回転動可能に支持された回転体であり、旧畦上面を整畦可能な周面を有する上回転体部と、この上回転体部の下部に繋がって下方へ延びて旧畦の内側面を整畦可能な周面を有する下回転体部とを有してなる。上回転体部の側面の母線方向は畦上面に対して略平行に延び、下回転体部の周面の母線方向は旧畦の内側面に対して略平行に延びる。このため、前処理部及び整畦部が回転動すると、前処理部によって旧畦に盛り上げられた土は、整畦部によって母線に沿った形状に整畦される。
【０００４】
【特許文献１】特開平８−３０８３０７号公報
【発明の開示】
【発明が解決しようとする課題】
【０００５】
この従来の畦塗り機は、上回転体部の周側面の母線方向は畦上面に対して略平行に延びるが、その上下位置は上回転体部の回転に拘わらず変化しない。このため、旧畦に盛られた土の量に応じて旧畦上面の締まり具合が左右され、この盛られた土の量が少ないと、成形される新畦の上面は脆くなる。また、下回転体部の周面の母線の左右方向位置も下回転体部の回転に拘わらず変化しないので、上回転体部の周面の場合と同様に、旧畦に盛られた土の量が少ないと新畦の内側面が脆くなるという問題が生じる。
【０００６】
また、前処理部は、畦際の圃場面の土を削り出して旧畦に向けて跳ね上げるが、圃場の表面が乾いていると、旧畦に土盛りされる土の水分が少なくなり、締まりの良い新畦を成形することができない。つまり従来の畦塗り機は、圃場の湿り状況によって成形される新畦の脆さが大きく変化し、締まりの良い新畦を常に成形することができないという問題を有する。
【０００７】
本発明は、このような問題に鑑みてなされたものであり、圃場の湿り状況に影響されずに、常に締まりの良い新畦を成形可能な畦塗り機を提供することを目的とする。
【課題を解決するための手段】
【０００８】
この課題を解決するため、本発明は、走行機体の後部に装着され、旧畦を切り崩して土盛りを行なう前処理部と該前処理部により盛られた土を切り崩された旧畦上に塗り付ける整畦部とを備え、走行機体から伝達される動力によって前処理部及び整畦部を駆動して畦塗り作業を行なう畦塗り機において、整畦部は、回転中心軸心が上下方向に延びて回転動可能に支持され、旧畦上面を整畦可能な第１周面を有する上回転体部と、該上回転体部の下方に配設されて旧畦の一方側面を整畦可能な第２周面を有する下回転体部とを備え、上回転体部の第１周面は、回転中心軸心に対して径方向外側に延びる方向が整畦部の回転角度に応じて変化してなることを特徴とする。
【０００９】
この発明によれば、整畦部は、上下方向に延びた回転中心軸心を回転中心として回転動可能であり、旧畦上面を整畦する第１周面を有する上回転体部と、旧畦の一方側面を整畦する第２周面を有する下回転体部とを備え、第１周面は、その径方向外側に延びる方向が整畦部の回転角度に応じて変化することにより、整畦部が回転動すると、第１周面は回転しながら上下動する。このため、旧畦上に盛られた土は第１周面によって押し付けられ、締まりのある畦上面を成形することができる。
【００１０】
また、本発明は、走行機体の後部に装着され、旧畦を切り崩して土盛りを行なう前処理部と該前処理部により盛られた土を切り崩された旧畦上に塗り付ける整畦部とを備え、走行機体から伝達される動力によって前処理部及び整畦部を駆動して畦塗り作業を行なう畦塗り機において、整畦部の回転中心軸心は、整畦部の駆動軸心に対して偏心していることを特徴とする。
【００１１】
この発明によれば、整畦部の回転中心軸心が整畦部の駆動軸心に対して偏心していることにより、整畦部の駆動軸が回転動すると、整畦部の回転中心軸心は振れながら回転して、第２周面は回転しながら旧畦の一方側面に対して接近動及び離反動する。このため、旧畦上に盛られた土は、第１周面によって押し付けられて締まりのある畦上面に成形され、第２周面によって旧畦の一方側面上に押し付けられて、締まりのある一方側面を成形される。このため、全体が締まりのある新畦を成形することができる。
【００１２】
また、本発明は、走行機体の後部に装着され、旧畦を切り崩して土盛りを行なう前処理部と該前処理部により盛られた土を切り崩された旧畦上に塗り付ける整畦部とを備え、走行機体から伝達される動力によって前処理部及び整畦部を駆動して畦塗り作業を行なう畦塗り機において、整畦部は、回転中心軸心が上下方向に延びて回転動可能に支持され、旧畦上面を整畦可能な第１周面を有する上回転体部と、該上回転体部の下方に配設されて旧畦の一方側面を整畦可能な第２周面を有する下回転体部とを備え、上回転体部の第１周面は、回転中心軸心に対して径方向外側に延びる方向が整畦部の回転角度に応じて変化してなり、整畦部の回転中心軸心は、整畦部の駆動軸心に対して偏心していることを特徴とする。
【００１３】
この発明によれば、整畦部は第１周面を有する上回転体部と、第２周面を有する下回転体部とを備え、上回転体部の第１周面は径方向外側に延びる方向が整畦部の回転角度に応じて変化し、整畦部の回転中心軸心は整畦部の駆動軸心に対して偏心することにより、整畦部が回転動すると、第１周面は上下動すると共に、駆動軸心に対する回転中心軸心の偏心によって上下動する。このため、第１周面の上下動作が多様になり、より締まりのある畦上面を成形することができる。また、整畦部が回転動すると、第２周面は駆動軸心に対する回転中心軸心の偏心によって旧畦の一方側面に対して接近動及び離反動する。このため、締まりのある一方側面を成形することができ、その結果、締まりのある畦上面及び一方側面を有した新畦を成形することができる。
【００１４】
さらに、本発明は、整畦部の回転動にともなう第１周面による旧畦上面の押圧動作と第２周面による旧畦の一方側面の押圧動作は同期して行なわれることを特徴とする。
【００１５】
この発明によれば、整畦部の回転動にともなう第１周面による旧畦上面への押圧動作と、第２周面による旧畦の一方側面への押圧動作が同期していることにより、旧畦の畦上面と一方側面が同時期に押し固められ、その結果、新畦全体の締まりの程度が均一で確実に締まった新畦を成形することができる。
【００１６】
また、本発明は、第１周面を、回転中心軸心を中央にして相対向する側に形成された第１周面のそれぞれの部分の延びる方向の角度差が最大になるように形成すことを特徴とする。
【００１７】
この発明によれば、第１周面はその各部分の延びる方向の角度差が最大になるように形成されることにより、整畦部が半回転する間に第１周面は回転しながら畦上面を押圧し、さらに半回転する間に第１周面は畦上面から離反しながら押圧動作を解除する。つまり、第１周面による押圧動作が間欠的になる。このため、一旦締まった畦上面を緩ませた後に再び第１周面により押圧することで、より確実に締まった畦上面を成形することができる。
【００１８】
また、本発明は、下回転体部の第２周面は、複数の面を周方向に配設してなる多面体形状であることを特徴とする。
【００１９】
この発明によれば、第２周面を、複数の面を周方向に配設してなる多面体形状にすることにより、整畦部が回転動すると、整畦部の回転角度に応じて旧畦の一方側面に対する面の向きが変化して、面自体が一方側面を押圧する。このため、整畦部が１回転すると、複数の面によって連続的に押圧動作が行われ、下回転体部全体の押圧動作と相まって確実に締まった一方側面を有した新畦を成形することができる。
【００２０】
また、本発明は、複数の面の隣接する面間に段部を形成することを特徴とする。
【００２１】
この発明によれば、隣接する面間に段部を形成することにより、隣接する面間に高低差を形成することができる。このため、整畦部が回転すると、隣接する面の一方側の面によって一方側面が押圧された後に、段部によって押圧動作が解除され、そして他方側の面によって一方側面が押圧される。つまり、隣接する面によって一方側面を押圧する押圧動作とこの動作を解除する解除動作が連続的に行われる。このため、整畦部の回転によって第２周面を構成する複数の面によって連続的に押圧動作と解除動作が繰り返され、確実に締まった一方側面を有した新畦を成形することができる。
【００２２】
さらに、本発明は、前処理部は、傾斜して上下方向に延びて回転動可能に支持された回転駆動軸と、該回転駆動軸に放射状に取り付けられた複数の耕耘爪とを備え、複数の耕耘爪は、回転駆動軸の上部に取り付けられて旧畦の上面を切り崩す第１耕耘爪と、回転駆動軸の中間部に取り付けられて旧畦の一方側面を切り崩す第２耕耘爪と、回転駆動軸の下部に取り付けられて旧畦に隣接する圃場の上部を耕耘する第３耕耘爪とを有してなることを特徴とする。
【００２３】
この発明によれば、前処理部は、傾斜して上下方向に延びる回転駆動軸に、旧畦の上面を切り崩す第１耕耘爪と、旧畦の一方側面を切り崩す第２耕耘爪と、旧畦に隣接する圃場の上部を耕耘する第３耕耘爪とを有してなることにより、前処理部が回転動すると、３種類の耕耘爪により旧畦の一方側面の他に旧畦の上面が切り崩され、旧畦に隣接する圃場の上部が耕耘されて、これらの土が切り崩された旧畦に土盛りされる。その結果、圃場や旧畦が乾燥状態にあるときに畦塗り作業が行われた場合でも、第３耕耘爪によって圃場の表面下の湿った土が耕耘されて旧畦に土盛りされるので、水分を含んだ土を旧畦に塗り付けることができ、畦の乾燥状態に影響されることなく、締まった畦を成形することができる。また、１つの前処理部で畦上面をも切り崩すことができるので、畦上面を切り崩すための専用の処理部が不要となり、畦塗り機全体を小型化することができる。
【発明の効果】
【００２４】
本発明に係わる畦塗り機によれば、整畦部は、上下方向に延びる回転中心軸心を回転中心として回転可能であり、旧畦上面を整畦可能な第１周面を有する上回転体部と、該上回転体部の下方に配設されて旧畦の一方側面を整畦可能な第２周面を有する下回転体部とを備え、上回転体部の第１周面はその径方向に延びる方向が整畦部の回転角度に応じて変化してなり、整畦部の回転中心軸心は、整畦部の駆動軸心に対して偏心し、前処理部は、傾斜して上下方向に延びる回転駆動軸に、旧畦の上面を切り崩す第１耕耘爪と、旧畦の一方側面を切り崩す第２耕耘爪と、旧畦に隣接する圃場の上部を耕耘する第３耕耘爪とを有してなることにより、圃場の湿り状況に影響されずに、常に締まりの良い新畦を成形することができる。
【発明を実施するための最良の形態】
【００２５】
以下、本発明に係わる畦塗り機の好ましい実施の形態を図１から図５に基づいて説明する。なお、説明の都合上、図１（平面図）に示す矢印の方向を前後方向及び左右方向として以下説明する。
【００２６】
畦塗り機１は、図１及び図２（裏面図）に示すように、走行機体９０の後部に装着される装着部１０と、装着部１０に左右方向に回動自在に支持されて走行機体９０の右側方向へ延びる支持フレーム２０と、支持フレーム２０の先端部に設けられて走行機体９０から伝達される動力によって畦塗り作業を行なう作業部３０とを有してなる。
【００２７】
装着部１０は、連結フレーム１１とこの後側に取り付けられたヒッチフレーム１３とを有してなる。走行機体９０の後部には、トップリンク及びロアリンクからなる三点リンク連結機構が設けられ、連結フレーム１１を走行機体９０の三点リンク連結機構に連結することにより、畦塗り機１が走行機体９０に装着される。ヒッチフレーム１３の左右方向の中央下部には入力軸が設けられ、この入力軸は、走行機体９０のＰＴＯ軸からの動力を伝動軸を介して伝達されるようになっている。
【００２８】
支持フレーム２０は、本体フレーム部２１と、本体フレーム部２１の右側端部に回動自在に枢支された伸縮フレーム部２３とを有してなる。伸縮フレーム部２３は複数のフレーム部材を入れ子式に構成されて伸縮動自在である。各フレーム部材には伸縮フレーム部２３の伸長方向に所定間隔を有して上下方向に延びる複数の孔部が成形され、内側のフレーム部材の孔部と外側のフレーム部材の孔部を上下方向に連通させた状態でロックピンをこれらの孔部に挿通させることで、伸縮フレーム部２３を所望の長さにした状態にロック可能である。このため、伸縮フレーム部２３を伸縮させることで、作業部３０のオフセット位置調整が可能である。伸縮フレーム部２３は、本体フレーム部２１との回動支点Ｏを回動中心として、走行機体９０の側方側と後方側との間を移動自在である。なお、支持フレーム２０には、伸縮フレーム部２３が走行機体９０の側方に延びた位置及び走行機体９０の後方に延びた位置において、伸縮フレーム部２３の回動をロックするロック機構が設けられている。
【００２９】
支持フレーム２０の左側端部には、後方に向けてディスク形状をなしてコールタを兼ねるゲージホイール２５が上下位置調節可能に設けられている。このゲージホイール２５により作業部３０の上下位置を調節して、成形される新畦Ｕｓの高さを調節すると共に、整畦作業を安定にするようにしている。
【００３０】
作業部３０は、前側から前処理部３１及び整畦部５１が配設されている。先ず、前処理部３１について説明する。前処理部３１は、図３（裏面図）に示すように、伸縮フレーム部２３の先端下部に取り付けられて斜め下方へ延びる前処理伝動フレーム３２の下端側に回転動自在に支持された回転駆動軸３３と、回転駆動軸３３に放射状に取り付けられた複数の耕耘爪３５とを有してなる。回転駆動軸３３は右側端部が左側端部よりも上方位置になるように傾斜して上下方向に延びる。また回転駆動軸３３は、作業部３０が作業位置Ｐｓに設置されると、右側端部が畦Ｕの上面の上方位置に位置し、且つ左側端部が畦Ｕに隣接する圃場Ｆの上方位置に位置するような長さを有している。なお、回転駆動軸３３は、作業部３０が作業位置Ｐｓに設置されたときに、平面視において畦Ｕの延びる方向に対して左右方向に直交し又は斜め方向に延びるように配置されるようにしてもよい。
【００３１】
回転駆動軸３３に取り付けられた耕耘爪３５は、回転駆動軸３３の上部に取り付けられて旧畦Ｕｋの上面を切り崩す第１耕耘爪３６と、回転駆動軸３３の中間部に取り付けられて旧畦Ｕｋの内側面を切り崩す第２耕耘爪３７と、回転駆動軸３３の下部に取り付けられて旧畦Ｕｋに隣接する圃場Ｆの上部を耕耘する第３耕耘爪３８の３種類を有している。第３耕耘爪３８は、圃場Ｆの表土の下部を耕耘可能な長さを有している。このため、回転駆動軸３３が回転動すると、３種類の耕耘爪３６、３７、３８により旧畦Ｕｋの内側面の他に旧畦Ｕｋの上面が切り崩され、旧畦Ｕｋに隣接する圃場Ｆの上部が耕耘されて、これらの土が切り崩された旧畦Ｕｋに土盛りされる。その結果、圃場Ｆの表面や旧畦Ｕｋが乾燥状態にあるときに畦塗り作業を行う場合でも、第３耕耘爪３８によって圃場Ｆの表面下の湿った土が耕耘されて旧畦Ｕｋに土盛りされるので、旧畦Ｕｋに水分を供給することができ、締まりのよい新畦を成形することができる。
【００３２】
整畦部５１は、図１、図２及び図４に示すように、伸縮フレーム部２３の先端下部から後方側へ延びる整畦伝動フレーム５２の先端部に回動自在に支持されている。整畦部５１は、整畦伝動フレーム５２の先端部に回転動可能に支持されて斜め上下方向に延びる駆動軸５２ａと、駆動軸５２ａに形成された取付けボス部６０を介して取り付けられて旧畦Ｕｋの上面を整畦可能な第１周面５５を有する上回転体部５４と、上回転体部５４の下方に配設されて旧畦Ｕｋの内側面を整畦可能な第２周面５８を有する下回転体部５７とを備えてなる。
【００３３】
駆動軸５２ａは、整畦伝動フレーム５２に内蔵されて整畦伝動フレーム５２内の動力伝達機機構から伝達された動力によって回転駆動する図示しないピニオンギヤに連結されている。そして、整畦部５１の回転中心軸心５３は、整畦部５１をテーパ状の座板６１を介在させて取付けボス部６０に取り付けることにより、駆動軸５２ａの駆動軸心５６に対して所定の振れ角度を有して駆動軸５２ａに連結されることになる。このため、駆動軸５２ａが回転動すると、回転中心軸心５３は振れながら回転動する。
【００３４】
下回転体部５７は筒状であり、その回転中心軸心が整畦部５１の回転中心軸心５３と同軸上に配設されている。第２周面５８は新たに成形される新畦Ｕｓの内側面が所定の傾斜角度で傾くように軸心方向上側に進むに従って漸次拡開している。このため、駆動軸５２ａが回転動すると、第２周面５８は回転中心軸心５３の振れによって、旧畦Ｕｋの内側面に対して接近動及び離反動して、旧畦Ｕｋの内側面を押圧動作して、締まった内側面を成形することができる。なお、第２周面５８の表面は湾曲して延びる連続した面状に形成されている。
【００３５】
なお、第２周面５８は、複数の面を周方向に配設してなる多面体形状に構成されてもよい。この場合、隣接する面間に段部が成形されるように複数の面を配設する。段部は整畦部５１の回転方向下流側に成形する。このように第２周面５８を多面体形状にし、隣接する面間に段部を成形することにより、整畦部５１が回転動すると、整畦部５１の回転角度に応じて旧畦Ｕｋの内側面に対する面の向きが変化して、面自体によって内側面を押圧することができ、その結果、整畦部５１が１回転すると、複数の面が内側面に対して連続的に押圧動作を行う。このため、下回転体部全体の押圧動作と相まって確実に締まった内側面を有した新畦を成形することができる。
【００３６】
上回転体部５４は、下回転体部５７の上部に固着された状態で接続されている。このため、駆動軸５２ａが回転動すると、上回転体部５４は下回転体部５７とともに回転動する。上回転体部５４の第１周面５５は、新たに成形される新畦Ｕｓの上面が略水平方向に延びるように軸心方向上側に進むに従って漸次拡開している。また、第１周面５５は回転中心軸心５３に対して径方向外側に延びる方向が整畦部５１の回転角度に応じて変化している。さらに詳細には、第１周面５５は、回転中心軸心５３を中央にして相対向する側に延びる第１周面５５のそれぞれの部分の延びる方向の角度差が最大になるように成形されている。つまり、回転中心軸心５３を中央にして一方側に延びる第１周面５５の第２周面５８に対する延びる方向を「ａ°」とすると、回転中心軸心５３を中央にして他方側に延びる第１周面５５の延びる方向が「ａ°＋α」になるように成形され、その間の第１周面５５は、「ａ°＋α」の延びる角度を有する面に接近するに従って延びる方向の角度が漸次大きくなるように成形されている。
【００３７】
その結果、駆動軸５２ａが回転動すると、旧畦Ｕｋの上面上に設置された第１周面５５は回転しながら上下動する。つまり、整畦部５１が半回転する間に第１周面５５は回転しながら畦上面を押圧し、さらに半回転する間に第１周面５５は畦上面から徐々に離反しながら押圧動作を解除して、第１周面５５は畦の押圧動作を間欠的に行う。このため、一旦締められた畦上面は緩んだ後に再び第１周面５５により押圧されるので、より確実に締まった畦上面を成形することができる。
【００３８】
さらに、第１周面５５は、第２周面５８による前述した旧畦Ｕｋの内側面の押圧動作と同期するように成形されている。つまり、第２周面５８によって旧畦Ｕｋの内側面が押圧動作されると、第１周面５５によって旧畦Ｕｋの上面が押圧動作される。このため、旧畦Ｕｋの畦上面と内側面が同時期に押し固められ、その結果、締まりの程度が均一で確実に締まった新畦を成形することができる。
【００３９】
さて、前処理部３１及び整畦部５１に動力を伝達する動力伝達機構７０は、支持フレーム２０の下方位置に配置されて入力軸に一端側が連結されて支持フレーム２０に沿って延びて他端側が支持フレーム２０の先端下方位置に配置されたギヤボックス７１に連結されたユニバーサルジョイント７２と、ギヤボックス７１に連結された前述した図３に示す前処理伝動フレーム３２及び整畦伝動フレーム５２を有してなる。ギヤボックス７１はユニバーサルジョイント７２から伝達された動力を前処理伝動フレーム３２及び整畦伝動フレーム５２に内蔵された動力伝達手段に伝達可能に構成されている。このため、走行機体９０から入力軸に伝達された動力は、ユニバーサルジョイント７２、ギヤボックス７１及び動力伝達手段を介して前処理部３１及び整畦部５１に伝達される。
【００４０】
次に、本発明に係わる畦塗り機１によって圃場Ｆの一辺を畦塗りする場合の畦塗り機１の動作について図１及び図５を用いて説明する。図１に示すように、先ず、走行機体９０を圃場Ｆの一辺Ｆａに沿った位置に設置する。そして、伸縮フレーム部２３が走行機体９０の後方側に回動しているときには、これを畦側に回動させ、伸縮フレーム部２３を本体フレーム部２１に対して伸縮させて作業部３０をオフセット移動させて、作業部３０を作業位置Ｐｓに移動させる。そして、ロックピンにより伸縮フレーム部２３を本体フレーム部２１に固定する。そして、走行機体９０を前進動させるとともに、走行機体９０からの動力を作業部３０に伝達して前処理部３１及び整畦部５１を回転動させる。その結果、前処理部３１の複数の耕耘爪３５が旧畦Ｕｋの上部を切り崩し、旧畦Ｕｋの内側面を切り崩し、旧畦Ｕｋに隣接する圃場Ｆの上部を耕耘する。
【００４１】
そして、切り崩され耕耘された土は旧畦Ｕｋに土盛りされる。そして、図５（ａ）に示すように、整畦部５１の上回転体部５４の第１周面５５が旧畦Ｕｋの上面を間欠的な押圧動作によって押し固め、下回転体部５７の第２周面５８が旧畦Ｕｋの内側面を押圧動作によって押し固める。このとき、第１周面５５と第２周面５８の押圧動作は同期しているので、図５（ｂ）に示すように、新たに成形される新畦Ｕｓはその全体が締まった畦に成形することができる。
【００４２】
また、圃場Ｆの表面や畦が乾燥した状態にあっても、前述したように図３に示す前処理部３１の第３耕耘爪３８が圃場Ｆの表面下の湿った土を耕耘して旧畦Ｕｋに土盛りするので、新たに成形される新畦Ｕｓが脆くなることはなく、締まりのよい新畦Ｕｓを成形することができる。
【００４３】
なお、前述した実施の形態では、上回転体部５４の第１周面５５が連続的に延びる湾曲状の面に形成された例を示したが、第２周面５８と同様に複数の面を有して多面体状に形成されると共に、この面間に段部を形成して構成されてもよい。
【図面の簡単な説明】
【００４４】
【図１】本発明の一実施の形態に係わる畦塗り機の平面図を示す。
【図２】この畦塗り機の裏面図を示す。
【図３】この畦塗り機に備えられた前処理部の裏面図を示す。
【図４】この畦塗り機に備えられた整畦部の断面図を示す。
【図５】整畦部の動作を説明するための断面図であり、同図（ａ）は畦塗り作業前の旧畦を示し、同図（ｂ）は畦塗り作業後の新畦を示す。
【符号の説明】
【００４５】
１  畦塗り機
３１  前処理部
３３  回転駆動軸
３５  耕耘爪
３６  第１耕耘爪
３７  第２耕耘爪
３８  第３耕耘爪
５１  整畦部
５２ａ  駆動軸
５３  回転中心軸心
５４  上回転体部
５５  第１周面
５６  駆動軸心
５７  下回転体部
５８  第２周面
６０  取付けボス部
９０  走行機体
Ｕｋ  旧畦
【図１】
2005269977.tif 000003
【図２】
2005269977.tif 000004
【図３】
2005269977.tif 000005
【図４】
2005269977.tif 000006
【図５】
2005269977.tif 000007